(57)【要約】  電子機器のディスプレイに、ディスプレイ用フィルムを貼り付けるためのフィルム貼付用治具１０は、作業面１１１を有する治具本体１１と、作業面１１１に設けられ、電子機器をディスプレイが露出した状態で収容保持可能な凹部１２と、作業面１１１における凹部１２の外部に設けられディスプレイ用フィルムが取り外し可能に貼り付けられた位置決め用フィルムの一部を保持してディスプレイ用フィルムをディスプレイに対して位置決め可能な位置決め部１３とを備える。
2020017074.tif 000002
【特許請求の範囲】
【請求項１】
ディスプレイが配置された表面と前記表面に相対する裏面とを有する電子機器の前記ディスプレイに、ディスプレイ用フィルムを貼り付けるためのフィルム貼付用治具であって、
作業面を有する治具本体と、
前記作業面に設けられ、前記電子機器を前記ディスプレイが露出した状態で収容保持可能な凹部と、
前記作業面における前記凹部の外部に設けられ、前記ディスプレイ用フィルムが取り外し可能に貼り付けられた位置決め用フィルムの一部を保持して前記ディスプレイ用フィルムを前記ディスプレイに対して位置決め可能な位置決め部と
を備える、フィルム貼付用治具。
【請求項２】
前記位置決め部が、
前記作業面から前記作業面に交差する方向に突出して、前記位置決め用フィルムの前記ディスプレイ用フィルムが貼り付けられていない部分に設けられた貫通孔に挿入されて前記位置決め用フィルムを係止保持可能な係止突起で構成されている、請求項１のフィルム貼付用治具。
【請求項３】
前記凹部の開口部が、矩形状を有し、
前記位置決め部が、前記作業面において、前記開口部に対する前記開口部の長手方向の一方側でかつ前記開口部に隣接して配置されている、請求項１または２のフィルム貼付用治具。
【請求項４】
前記位置決め部が、前記作業面において、前記開口部の短手方向の両端部にそれぞれ配置された第１位置決め部および第２位置決め部で構成されている、請求項３のフィルム貼付用治具。
【請求項５】
前記治具本体が、前記開口部の長手方向の他方側の端部に配置された切欠部を有している、請求項３または４のフィルム貼付用治具。
【請求項６】
請求項１〜５のいずれか１つのフィルム貼付用治具と、
前記作業面を被覆可能な前記位置決め用フィルムと、前記位置決め用フィルムに取り外し可能に接続された前記ディスプレイ用フィルムと、前記前記位置決め用フィルムと共に前記ディスプレイ用フィルムを挟むように前記ディスプレイ用フィルムに取り外し可能に接続された保護フィルムとで構成されたフィルムセットと
を備える、フィルム貼付装置。
【発明の詳細な説明】
【技術分野】
【０００１】
本発明は、フィルム貼付用治具およびフィルム貼付装置に関する。
【背景技術】
【０００２】
特許文献１には、携帯電子機器のディスプレイ部に保護フィルムを貼着するための保護フィルム貼着用器具が開示されている。この保護フィルム貼着用器具は、携帯電子機器が収容されるケースと、ケースに回動可能に設けられてケースを開閉するカバーと、電子機器と対向するようにカバーに設けられるフィルム部材とを備えている。
【先行技術文献】
【特許文献】
【０００３】
【特許文献１】特許６１５９４５１号公報
【発明の概要】
【発明が解決しようとする課題】
【０００４】
前記保護フィルム貼着用器具では、カバーにフィルム部材を収容し、ケースに対してカバーを回動させてケースを閉じることで、フィルム部材をケースに収容された携帯電子機器に容易に取り付けることができるように構成されている。【０００５】
しかし、前記保護フィルム貼着用器具では、ケースをカバーに対して回動させる際に、フィルム部材が所定位置からずれて、フィルム部材を携帯電子機器のディスプレイ部に正確に取り付けることができない可能性がある。このため、フィルム部材を携帯電子機器のディスプレイ部に対してより簡単かつ正確に貼着したいという要望があった。【０００６】
本発明は、電子機器のディスプレイにディスプレイ用フィルムを簡単かつ正確に貼り付け可能なフィルム貼付用治具およびこのフィルム貼付用治具を備えたフィルム貼付装置を提供することを課題とする。
【課題を解決するための手段】
【０００７】
本発明の一態様のフィルム貼付用治具は、
ディスプレイが配置された表面と前記表面に相対する裏面とを有する電子機器の前記ディスプレイに、ディスプレイ用フィルムを貼り付けるためのフィルム貼付用治具であって、
作業面を有する治具本体と、
前記作業面に設けられ、前記電子機器を前記ディスプレイが露出した状態で収容保持可能な凹部と、
前記作業面における前記凹部の外部に設けられ、前記ディスプレイ用フィルムが取り外し可能に貼り付けられた位置決め用フィルムの一部を保持して前記ディスプレイ用フィルムを前記ディスプレイに対して位置決め可能な位置決め部と
を備える。【０００８】
本発明の一態様のフィルム貼付装置は、
前記態様のフィルム貼付用治具と、
前記作業面を被覆可能な前記位置決め用フィルムと、前記位置決め用フィルムに取り外し可能に貼り付けられた前記ディスプレイ用フィルムと、前記前記位置決め用フィルムと共に前記ディスプレイ用フィルムを挟むように前記ディスプレイ用フィルムに取り外し可能に貼り付けられた保護フィルムとで構成されたフィルムセットと
を備える。
【発明の効果】
【０００９】
前記態様のフィルム貼付用治具によれば、作業面を有する治具本体と、作業面に設けられて、電子機器をディスプレイが露出した状態で収容保持可能な凹部と、作業面における凹部の外部に設けられて、位置決め用フィルムの一部を保持してディスプレイ用フィルムをディスプレイに対して位置決め可能な位置決め部とを備えている。このような構成により、電子機器のディスプレイを確認しながら、ディスプレイ用フィルムをディスプレイに対して位置決めすることができるので、ディスプレイ用フィルムを電子機器のディスプレイに簡単かつ正確に貼り付け可能なフィルム貼付用治具を提供できる。【００１０】
前記態様のフィルム貼付装置によれば、前記フィルム貼付用治具により、ディスプレイ用フィルムを電子機器のディスプレイに簡単かつ正確に貼り付け可能なフィルム貼付装置を提供できる。
【図面の簡単な説明】
【００１１】
【図１】本発明の一実施形態のフィルム貼付装置を示す斜視図。
【図２】本発明の一実施形態のフィルム貼付用治具を示す斜視図。
【図３】図１のフィルム貼付装置のフィルムセットを示す分解斜視図。
【図４】図１のフィルム貼付装置の使用方法を説明するための第１の説明図。
【図５】図１のフィルム貼付装置の使用方法を説明するための第２の説明図。
【図６】図１のフィルム貼付装置の使用方法を説明するための第３の説明図。
【図７】図１のフィルム貼付装置の使用方法を説明するための第４の説明図。
【図８】図２のフィルム貼付用治具の第１の変形例を示す斜視図。
【図９】図２のフィルム貼付用治具の第２の変形例を示す斜視図。
【図１０】図２のフィルム貼付用治具の第３の変形例を示す斜視図。
【図１１】図２のフィルム貼付用治具の第４の変形例を示す平面図。
【発明を実施するための形態】
【００１２】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１３】
本発明の一実施形態のフィルム貼付装置１は、図１に示すように、フィルム貼付用治具１０と、フィルムセット２０とを備えている。フィルム貼付用治具１０は、図２に示すように、ディスプレイ１１０が配置された表面１０１と、この表面１０１に相対する裏面１０２とを有する電子機器１００（例えば、スマートフォン、携帯型ゲーム機、液晶ディスプレイ付きゲームコントローラ）のディスプレイ１１０に、ディスプレイ用フィルム２１を貼り付けるために用いられる。ディスプレイ用フィルム２１は、図３に示すように、フィルムセット２０に含まれている。
【００１４】
フィルム貼付用治具１０は、例えば、ポリエチレンテレフタレート、ポリ塩化ビニル、あるいは、ポリスチレンで構成され、図１に示すように、作業面１１１を有する治具本体１１と、作業面１１１に設けられた凹部１２および位置決め部１３とを備えている。
【００１５】
治具本体１１は、略矩形板状を有し、その板面の一方が作業面１１１を構成している。
【００１６】
凹部１２は、作業面１１１に交差（例えば、直交）する方向から見て、電子機器１００をディスプレイ１１０が外部に露出した状態で収容保持可能な略矩形状を有している。電子機器１００のディスプレイ１１０は、一例として略矩形状を有している。すなわち、凹部１２は、作業面１１１に直交する方向から見て、凹部１２に収容された電子機器１００が治具本体１１に対して移動しないように形成されている。凹部１２の深さは、電子機器１００を収容したときにディスプレイ１１０が配置された表面１０１が、治具本体１１の作業面１１１と略面一になるように設定されている。
【００１７】
位置決め部１３は、作業面１１１における凹部１２の外部に設けられ、フィルムセット２０に含まれている位置決め用フィルム２２の一部を保持して、ディスプレイ用フィルム２１を電子機器１００のディスプレイ１１０に対して位置決めする。この実施形態では、位置決め部１３は、治具本体１１と一体に設けられている。
【００１８】
詳しくは、位置決め部１３は、作業面１１１から作業面１１１に交差（例えば、直交）する方向に突出する略円柱状の２つの係止突起（以下、第１位置決め部１３１および第２位置決め部１３２という。）で構成されている。第１位置決め部１３１および第２位置決め部１３２の各々は、作業面１１１において、凹部１２の開口部１２１に対する開口部１２１の長手方向の一方側でかつ開口部１２１に隣接して配置されていると共に、開口部１２１の短手方向の両端部にそれぞれ間隔を空けて配置されている。言い換えると、各突起１３１、１３２は、作業面１１に直交する方向から見て、凹部１２に対する治具本体１１の長手方向の一方側でかつ凹部１２に隣接して配置されていると共に、治具本体１１の短手方向に間隔を空けて配置されている。また、第１位置決め部１３１および第２位置決め部１３２の各々は、後述する位置決め用フィルム２２の貫通孔２２１に挿入されて、位置決め用フィルム２２をその幅方向の２点で係止保持可能に構成されている。
【００１９】
なお、凹部１２の開口部１２１の短手方向における第１位置決め部１３１および第２位置決め部１３２の間には、切欠部１４が設けられている。言い換えると、治具本体１１のその長手方向における各突起１３１、１３２に近い方の端部には、切欠部１４が設けられている。この切欠部１４は、治具本体１１の短手方向における各突起１３１、１３２の間に配置され、治具本体１１の外周縁から凹部１２に向かって延びている。このように切欠部１４を設けることで、フィルム貼付用治具１０を既存の引っ掛け式商品棚に陳列し易くしている。なお、この切欠部１４は、設けなくてもよい。
【００２０】
フィルムセット２０は、図３に示すように、厚さ方向に積層された３つのフィルム（すなわち、ディスプレイ用フィルム２１、位置決め用フィルム２２、および、保護フィルム２３）で構成されている。このフィルムセット２０では、ディスプレイ用フィルム２１が、位置決め用フィルム２２および保護フィルム２３で挟まれるように積層されている。また、各フィルム２１、２２、２３は、相互に治具本体１１の作業面１１１と略同一形状（すなわち、略矩形状）および大きさを有し、位置決め用フィルム２２によって治具本体１１の作業面１１１を被覆可能に構成されている。
【００２１】
ディスプレイ用フィルム２１は、例えば、ポリエチレンテレフタレート、熱可塑性ポリウレタン、ガラス、あるいは、ポリエチレンテレフタレートおよび熱可塑性ポリウレタンの混合材料で構成され、電子機器１００のディスプレイ１１０と略同一の形状（すなわち、略矩形状）および大きさのフィルム本体２１１と、このフィルム本体２１１の周囲に配置された余剰枠部２１２とを有している。フィルム本体２１１と余剰枠部２１２とは相互に独立して取り外し可能に構成されている。ディスプレイ用フィルム２１の積層方向における一方の面には、例えば、シリコン、あるいは、アクリルで構成された接着層（図示せず）が設けられており、この接着層を介して保護フィルム２３がディスプレイ用フィルム２１に取り外し可能に接続されている。
【００２２】
位置決め用フィルム２２は、例えば、ポリエチレンテレフタレートで構成され、その長手方向の一端部には、２つの貫通孔２２１が設けられている。各貫通孔２２１は、位置決め用フィルム２２の短手方向（すなわち、幅方向）に間隔を空けて配置されて、治具本体１１の第１位置決め部１３１および第２位置決め部１３２がそれぞれ挿入可能に構成されている。位置決め用フィルム２２の積層方向における一方の面には、例えば、シリコン、あるいは、アクリルで構成された接着層（図示せず）が設けられており、この接着層を介してディスプレイ用フィルム２１が位置決め用フィルム２２に取り外し可能に接続されている。
【００２３】
保護フィルム２３は、例えば、ポリエチレンテレフタレートで構成され、ディスプレイ用フィルム２１と略同一形状（すなわち、略矩形状）および大きさのフィルム本体２３１と、このフィルム本体２３１の周囲に配置された余剰枠部２３２とを有している。フィルム本体２１１と余剰枠部２１２とは相互に独立して取り外し可能に構成されている。また、フィルム本体２３１は、その長手方向に並んで配置された２つのフィルム（以下、第１フィルム２３３および第２フィルム２３４という。）で構成されている。第１フィルム２３３および第２フィルム２３４は、相互に独立して切り離し可能に構成されている。なお、第１フィルム２３３は、第２フィルム２３４よりも小さい表面積を有している。
【００２４】
次に、前記フィルム貼付装置１を用いて、電子機器１００のディスプレイ１１０にディスプレイ用フィルム２１を貼り付ける方法について説明する。
【００２５】
まず、図４に示すように、治具本体１１の凹部１２に、ディスプレイ１１０が開口部１２１から露出した状態で電子機器１００を収容する。
【００２６】
続いて、図５に示すように、フィルムセット２０を治具本体１１の作業面１１１に配置して、ディスプレイ用フィルム２１を電子機器１００のディスプレイ１１０に対して位置決めする。このとき、ディスプレイ用フィルム２１および保護フィルム２３の余剰枠部２１２、２３２を位置決め用フィルム２２から取り外して、位置決め用フィルム２２の接着層の一部を露出させる。そして、位置決め用フィルム２２の２つの貫通孔２２１に治具本体１１の第１位置決め部１３１および第２位置決め部１３２を挿入して、フィルム貼付用治具１０に係止保持させつつ、位置決め用フィルム２２の接着層を治具本体１１の作業面１１１に接触させる。これにより、電子機器１００のディスプレイ１１０を確認しながら、フィルムセット２０を電子機器１００のディスプレイ１１０に対して位置決めする。
【００２７】
次に、図６に示すように、保護フィルム２３の第１フィルム２３３をディスプレイ用フィルム２１から取り外して、ディスプレイ用フィルム２１の接着層の一部を露出させ、ディスプレイ用フィルム２１の接着層を電子機器１００のディスプレイ１１０に接触させる。これにより、ディスプレイ用フィルム２１を電子機器１００のディスプレイ１１０に対して位置決めした状態で、ディスプレイ用フィルム２１の一部（すなわち、保護フィルム２３の第１フィルム２３３が接続されていた部分）をディスプレイ１１０に貼り付ける。そして、保護フィルム２３の第２フィルム２３４をディスプレイ用フィルム２１から取り外して、図６に示す矢印Ａの方向に向かってディスプレイ用フィルム２１の残りの部分（すなわち、保護フィルム２３の第２フィルム２３４が接続されていた部分）を順次電子機器１００のディスプレイ１１０に貼り付ける。
【００２８】
ディスプレイ用フィルム２１の残りの部分を電子機器１００のディスプレイ１１０に貼り付ける際、図７に示す治具３０を用いる。この治具３０は、へら状の本体部３１と、この本体部３１の長手方向の一端部を覆う布製の接触部３２とで構成されている。治具３０の接触部３２を介してディスプレイ用フィルム２１をディスプレイ１１０に押し付けながら、ディスプレイ用フィルム２１の残りの部分を電子機器１００のディスプレイ１１０に貼り付けることで、ディスプレイ用フィルム２１とディスプレイ１１０との間に気泡ができるのを防ぐことができる。
【００２９】
最後に、位置決め用フィルム２２をディスプレイ用フィルム２１から取り外して、電子機器１００のディスプレイ１１０に対するディスプレイ用フィルム２１の貼り付けを終了する。
【００３０】
なお、ディスプレイ用フィルム２１として、ガラスフィルムを用いた場合、ガラスフィルムは樹脂フィルムと比べて、電子機器１００のディスプレイ１１０との間に気泡ができ難いため、保護フィルム２３をディスプレイ用フィルム２１から一度に全て取り外して、ディスプレイ用フィルム２１をディスプレイ１１０に一気に貼り付けることができる。
【００３１】
このように、前記フィルム貼付用治具１０は、作業面１１１を有する治具本体１１と、作業面１１１に設けられて、電子機器１００をディスプレイ１１０が露出した状態で収容保持可能な凹部１２と、作業面１１１における凹部１２の外部に設けられて、位置決め用フィルム２２の一部を保持してディスプレイ用フィルム２１をディスプレイ１１０に対して位置決め可能な位置決め部１３とを備えている。このような構成により、電子機器１００のディスプレイ１１０を確認しながら、ディスプレイ用フィルム２１をディスプレイ１１０に対して位置決めすることができるので、ディスプレイ用フィルム２１を電子機器１００のディスプレイ１１０に簡単かつ正確に貼り付け可能なフィルム貼付用治具１０を提供できる。
【００３２】
すなわち、前記フィルム貼付用治具１０により、ディスプレイ用フィルム２１を電子機器１００のディスプレイ１１０に簡単かつ正確に貼り付け可能なフィルム貼付装置１を提供できる。
【００３３】
また、位置決め部１３が、作業面１１１から作業面１１１に交差する方向に突出して、位置決め用フィルム２２のディスプレイ用フィルム２１が貼り付けられていない部分に設けられた貫通孔２２１に挿入されて位置決め用フィルム２２を係止保持可能な係止突起で構成されている。このような構成により、ディスプレイ用フィルム２１を電子機器１００のディスプレイ１１０により簡単かつ正確に貼り付けることができる。
【００３４】
また、凹部１２の開口部１２１が矩形状を有し、位置決め部１３が、作業面１１１において、開口部１２１に対する開口部１２１の長手方向の一方側でかつ開口部１２１に隣接して配置されている。このような構成により、ディスプレイ用フィルム２１を電子機器１００のディスプレイ１１０により簡単かつ正確に貼り付けることができる。
【００３５】
また、位置決め部１３が、作業面１１１において、開口部１２１の短手方向の両端部にそれぞれ配置された第１位置決め部１３１および第２位置決め部１３２で構成されている。このような構成により、このような構成により、ディスプレイ用フィルム２１を電子機器１００のディスプレイ１１０により簡単かつ正確に貼り付けることができる。
【００３６】
なお、位置決め部１３は、略円柱状の第１位置決め部１３１および第２位置決め部１３２で構成されている場合に限らない。例えば、位置決め部１３は、図８に示すように、治具本体１１の作業面１１１における開口部１２１の短手方向（すなわち、幅方向）の略中央に１つの係止突起で構成してもよいし、図９に示すように、作業面１１１の幅方向に間隔を空けて直列的に配置された３つの係止突起で構成してもよいし、図１０に示すように、作業面１１１の幅方向に延びる１つの略直方体状の係止突起（すなわち、係止突条）で構成してもよい。また、位置決め部１３は、図示していないが、接着層で構成してもよい。すなわち、位置決め部１３は、作業面１１１における凹部１２の外部に設けられ、位置決め用フィルムの２２一部を保持してディスプレイ用フィルム２１をディスプレイ１１０に対して位置決め可能な任意の構成を採用できる。
【００３７】
また、図１１に示すように、治具本体１１における開口部１２１の長手方向の他方側の端部（すなわち、開口部１２１の長手方向において、第１位置決め部１３１および第２位置決め部１３２が配置されている端部の反対側の端部）に切欠部４０を設けてもよい。このように切欠部４０を設けることで、フィルムセット２０を電子機器１００のディスプレイ１１０に対して位置決めした後、保護フィルム２３の第１フィルム２３３をディスプレイ用フィルム２１から取り外し易くなる。その結果、ディスプレイ用フィルム２１を電子機器１００のディスプレイ１１０に対してより簡単に貼り付けることができる。
【００３８】
なお、切欠部４０は、開口部１２１の長手方向において、第１位置決め部１３１および第２位置決め部１３２が配置されている端部の反対側の端部に設けられていればよく、開口部１２１の短辺側に設けられている場合に限らない。例えば、切欠部４０は、図１１に点線で示すように、開口部１２１の長辺側のいずれか一方（または両方）に設けられていてもよい。
【００３９】
前記フィルム貼付装置１は、ディスプレイ用フィルム２１を治具本体１１の凹部１２に収容保持された電子機器１００のディスプレイ１１０に対して位置決めされた状態で、位置決め用フィルム２２の一端部（すなわち、貫通孔２２１が設けられている側の端部）を治具本体１１の作業面１１における凹部１２の外側に固定して、位置決め用フィルム２２の一端部を支点として回転可能に構成することができる。このような構成により、ユーザが、ディスプレイ用フィルム２１を電子機器１００のディスプレイ１１０に対して位置決めすることなく、治具本体１１の凹部１２に電子機器１００を収容して、保護部材２３を取り外したフィルムセット２０を回転させるだけで、ディスプレイ用フィルム２１を電子機器１００のディスプレイ１１０に対して正確に位置決めされた状態で貼り付けることができる。また、フィルムセット２０を治具本体１１に対して容易かつ簡単に位置決めすることができる。すなわち、このような構成により、ディスプレイ用フィルム２１を電子機器１００のディスプレイ１１０に簡単かつ正確に貼り付け可能なフィルム貼付装置１を容易に実現できる。
【００４０】
以上、図面を参照して本開示における種々の実施形態を詳細に説明したが、最後に、本開示の種々の態様について説明する。
【００４１】
本発明の第１態様のフィルム貼付用治具は、
ディスプレイが配置された表面と前記表面に相対する裏面とを有する電子機器の前記ディスプレイに、ディスプレイ用フィルムを貼り付けるためのフィルム貼付用治具であって、
作業面を有する治具本体と、
前記作業面に設けられ、前記電子機器を前記ディスプレイが露出した状態で収容保持可能な凹部と、
前記作業面における前記凹部の外部に設けられ、前記ディスプレイ用フィルムが取り外し可能に貼り付けられた位置決め用フィルムの一部を保持して前記ディスプレイ用フィルムを前記ディスプレイに対して位置決め可能な位置決め部と
を備える。
【００４２】
第１態様のフィルム貼付用治具によれば、作業面を有する治具本体と、作業面に設けられて、電子機器をディスプレイが露出した状態で収容保持可能な凹部と、作業面における凹部の外部に設けられて、位置決め用フィルムの一部を保持してディスプレイ用フィルムをディスプレイに対して位置決め可能な位置決め部とを備えている。このような構成により、電子機器のディスプレイを確認しながら、ディスプレイ用フィルムをディスプレイに対して位置決めすることができるので、ディスプレイ用フィルムを電子機器のディスプレイに簡単かつ正確に貼り付け可能なフィルム貼付用治具を提供できる。
【００４３】
本発明の第２態様のフィルム貼付用治具は、
前記位置決め部が、
前記作業面から前記作業面に交差する方向に突出して、前記位置決め用フィルムの前記ディスプレイ用フィルムが貼り付けられていない部分に設けられた貫通孔に挿入されて前記位置決め用フィルムを係止保持可能な係止突起で構成されている。
【００４４】
第２態様のフィルム貼付用治具によれば、係止突起により、ディスプレイ用フィルムを電子機器のディスプレイにより簡単かつ正確に貼り付けることができる。
【００４５】
本発明の第３態様のフィルム貼付用治具は、
前記凹部の開口部が、矩形状を有し、
前記位置決め部が、前記作業面において、前記開口部に対する前記開口部の長手方向の一方側でかつ前記開口部に隣接して配置されている。
【００４６】
第３態様のフィルム貼付用治具によれば、ディスプレイ用フィルムを電子機器のディスプレイにより簡単かつ正確に貼り付けることができる。
【００４７】
本発明の第４態様のフィルム貼付用治具は、
前記位置決め部が、前記作業面において、前記開口部の短手方向の両端部にそれぞれ配置された第１位置決め部および第２位置決め部で構成されている。
【００４８】
第４態様のフィルム貼付用治具によれば、ディスプレイ用フィルムを電子機器のディスプレイにより簡単かつ正確に貼り付けることができる。
【００４９】
本発明の第５態様のフィルム貼付用治具は、
前記治具本体が、前記開口部の長手方向の他方側の端部に配置された切欠部を有している。
【００５０】
第５態様のフィルム貼付用治具によれば、切欠部により、ディスプレイ用フィルムを電子機器のディスプレイに対してより簡単に貼り付けることができる。
【００５１】
本発明の第６態様のフィルム貼付装置は、
前記態様のフィルム貼付用治具と、
前記作業面を被覆可能な前記位置決め用フィルムと、前記位置決め用フィルムに取り外し可能に接続された前記ディスプレイ用フィルムと、前記前記位置決め用フィルムと共に前記ディスプレイ用フィルムを挟むように前記ディスプレイ用フィルムに取り外し可能に接続された保護フィルムとで構成されたフィルムセットと
を備える。
【００５２】
第６態様のフィルム貼付装置によれば、フィルム貼付用治具により、ディスプレイ用フィルムを電子機器のディスプレイに簡単かつ正確に貼り付け可能なフィルム貼付装置１を提供できる。
【００５３】
前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００５４】
１  フィルム貼付装置
１０  フィルム貼付用治具
１１  治具本体
１１１  作業面
１２  凹部
１３  位置決め部
１３１  第１位置決め部
１３２  第２位置決め部
１４  切欠部
２０  フィルムセット
２１  ディスプレイ用フィルム
２１１  フィルム本体
２１２  余剰枠部
２２  位置決め用フィルム
２２１  貫通孔
２３  保護フィルム２３
２３１  フィルム本体
２３２  余剰枠部
２３３  第１フィルム
２３４  第２フィルム
３０  治具
３１  本体部
３２  接触部
４０  切欠部
１００  電子機器
１０１  表面
１０２  裏面
１１０  ディスプレイ
【図１】
2020017074.tif 000003
【図２】
2020017074.tif 000004
【図３】
2020017074.tif 000005
【図４】
2020017074.tif 000006
【図５】
2020017074.tif 000007
【図６】
2020017074.tif 000008
【図７】
2020017074.tif 000009
【図８】
2020017074.tif 000010
【図９】
2020017074.tif 000011
【図１０】
2020017074.tif 000012
【図１１】
2020017074.tif 000013
【国際調査報告】
2020017074.tif 000014
2020017074.tif 000015
2020017074.tif 000016
2020017074.tif 000017